(57)【要約】【課題】本発明は、安価かつ利用性の良好な自動販売式複写装置等の課金システム及び複写装置に関する。【解決手段】複写装置用課金システム１は、カードリーダ２４にプリペイドカードを投入した利用者が複写装置１０のスタートキー兼指紋認証機１３で指紋認証操作を行うと、スタートキー兼指紋認証機１３で取得した指紋情報をカードリーダ２４に挿入されているプリペイドカードのカード情報とともにメモリ２３に記憶し、スタートキー兼指紋認証機１３で複写動作開始指示があると、スタートキー兼指紋認証機１３の取得した指紋情報及びメモリ２３の情報に基づいて複写動作の許可・不許可の複写動作制御処理及び課金処理を行うとともに、指紋認証機２２の押下によってプリペイドカードの返却要求があると、指紋認証機２２の取得した指紋情報及びメモリ２３の情報に基づいて正規の所有者による返却要求か否か判定してプリペイドカードの返却を制御する。【選択図】          図１
2005327116.tif 000002
【特許請求の範囲】
【請求項１】
用紙への画像の複写を行う複写装置と、当該複写装置に接続され当該複写装置と相互に通信して当該複写装置での複写動作の許可・不許可を制御するとともに、投入される貨幣または貨幣に相当する媒体等の課金対象物から当該複写装置での複写動作に対する料金を差し引く課金処理を行う課金装置と、を備えた課金システムにおいて、前記複写装置が、１つ以上の指紋認証手段を有し、前記課金装置が、前記課金対象物が投入されるとともに当該投入された課金対象物を取り出し不可能な状態で前記課金処理を実行する課金対象物投入機構と、１つ以上の指紋認証手段と、少なくとも前記複写装置の指紋認証手段の取得した指紋情報を記憶する記憶手段と、を有し、前記課金対象物投入機構に前記課金対象物を投入した利用者が前記複写装置の指紋認証手段で指紋認証操作を行うと、当該指紋認証手段が当該利用者の指紋情報を取得し、前記課金装置が、当該指紋認証手段の取得した指紋情報を前記課金対象物投入機構に投入されている前記課金対象物を特定する管理情報とともに前記記憶手段に記憶し、前記複写動作の開始要求に際して前記複写装置の指紋認証手段による指紋認証操作を要求して、当該指紋認証手段の取得した指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記課金装置の指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことを特徴とする課金システム。
【請求項２】
用紙への画像の複写を行う複写装置と、当該複写装置に接続され当該複写装置と相互に通信して当該複写装置での複写動作の許可・不許可を制御するとともに、投入される貨幣または貨幣に相当する媒体等の課金対象物から当該複写装置での複写動作に対する料金を差し引く課金処理を行う課金装置と、を備えた課金システムにおいて、前記課金装置が、前記課金対象物が投入されるとともに当該投入された課金対象物を取り出し不可能な状態で前記課金処理を実行する課金対象物投入機構と、１つ以上の指紋認証手段と、当該指紋認証手段の取得した指紋情報を記憶する記憶手段と、を有し、前記課金対象物投入機構に前記課金対象物を投入した利用者が前記指紋認証手段で指紋認証操作を行うと、当該指紋認証手段の取得した当該利用者の指紋情報を前記課金対象物投入機構に投入されている前記課金対象物を特定する管理情報とともに前記記憶手段に記憶し、当該指紋認証手段の取得する指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことを特徴とする課金システム。
【請求項３】
用紙への画像の複写を行う複写装置と、当該複写装置に接続され当該複写装置と相互に通信して当該複写装置での複写動作の許可・不許可を制御するとともに、投入される貨幣または貨幣に相当する媒体等の課金対象物から当該複写装置での複写動作に対する料金を差し引く課金処理を行う課金装置と、を備えた課金システムにおいて、前記複写装置が、１つ以上の指紋認証手段と、少なくとも当該指紋認証手段の取得した指紋情報を記憶する記憶手段と、を有し、前記課金装置が、前記課金対象物が投入されるとともに当該投入された課金対象物を取り出し不可能な状態で前記課金処理を実行する課金対象物投入機構を有し、前記複写動作の開始要求に際して前記指紋認証手段による指紋認証操作を要求して、当該指紋認証手段の取得した指紋情報を前記課金対象物投入機構に投入されている前記課金対象物を特定する管理情報とともに前記記憶手段に記憶し、複写動作の開始要求に際して当該指紋認証手段の取得した指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記複写装置の指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことを特徴とする課金システム。
【請求項４】
用紙への画像の複写を行う複写機構と、当該複写機構での複写動作の許可・不許可を制御するとともに、投入される貨幣または貨幣に相当する媒体等の課金対象物から当該複写動作に対する料金を差し引く課金手段と、を内蔵した複写装置において、前記課金対象物が投入されるとともに当該投入された課金対象物を取り出し不可能な状態で前記課金処理を実行する課金対象物投入機構と、１つ以上の指紋認証手段と、少なくとも当該指紋認証手段の取得した指紋情報を記憶する記憶手段と、を有し、前記課金対象物投入機構に前記課金対象物を投入した利用者が前記指紋認証手段で指紋認証操作を行うと、当該指紋認証手段が当該利用者の指紋情報を取得し、前記課金手段が、当該指紋認証手段の取得した指紋情報を前記課金対象物投入機構に投入されている前記課金対象物を特定する管理情報とともに前記記憶手段に記憶し、前記複写動作の開始要求に際して前記指紋認証手段による指紋認証操作を要求して、当該指紋認証手段の取得した指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことを特徴とする複写装置。
【請求項５】
前記課金システムまたは前記複写装置は、所定範囲内の人体の有無を検知する人体感知センサと、前記課金対象物投入機構に投入された前記課金対象物を当該課金対象物投入機構から受け取って一時保管する保管手段と、を備え、前記課金対象物投入機構に前記課金対象物が投入されている状態で、前記複写動作が所定の待ち時間行われることなく、前記人体感知センサが人体を検知しないと、当該課金対象物投入機構に投入されている当該課金対象物を前記保管手段に移動して保管する保管処理を行うことを特徴とする請求項１から請求項３のいずれかに記載の課金システムまたは請求項４記載の複写装置。
【請求項６】
前記課金システムまたは前記複写装置は、前記保管手段に保管している前記課金対象物の返却要求があると、前記指紋認証手段での指紋認証に基づいて正規の所有者であるか否か判定して、当該課金対象物の返却を制御することを特徴とする請求項７記載の課金システムまたは複写装置。
【請求項７】
前記課金システムまたは前記複写装置は、前記課金対象物投入機構または前記保管手段に前記課金対象物が残留する間、前記記憶手段に前記指紋情報及び前記管理情報を記憶し、当該課金対象物が排出されると、当該記憶手段の当該排出された課金対象物の指紋情報及び管理情報を消去することを特徴とする請求項１から請求項６のいずれかに記載の課金システムまたは複写装置。
【請求項８】
前記課金システムまたは前記複写装置は、前記課金対象物投入機構に投入されている前記課金対象物または前記保管手段の保管する前記課金対象物に関する情報を所定の表示手段に表示出力することを特徴とする請求項１から請求項７のいずれかに記載の課金システムまたは複写装置。
【請求項９】
前記課金システムまたは前記複写装置は、前記保管手段が前記課金対象物で満杯になると、その旨を当該課金システムまたは当該複写装置の管理者に通知することを特徴とする請求項５から請求項８のいずれかに記載の課金システムまたは複写装置。
【請求項１０】
前記課金システムまたは前記複写装置は、前記保管手段が前記課金対象物で満杯になると、前記課金対象物の保管処理を停止することを特徴とする請求項５から請求項９のいずれかに記載の課金システムまたは複写装置。
【請求項１１】
前記課金システムまたは前記複写装置は、所定範囲内の人体の有無を検知する人体感知センサと、当該課金システムまたは当該複写装置の管理者への連絡手段と、を備え、前記課金対象物投入機構に前記課金対象物が投入されている状態で、前記複写動作が所定の待ち時間行われることなく、前記人体感知センサが人体を検知しないと、前記課金対象物の取り忘れであると判定して、前記連絡手段で前記管理者に課金対象物の取り忘れが発生した旨を連絡することを特徴とする請求項１から請求項１０のいずれかに記載の課金システムまたは複写装置。
【発明の詳細な説明】
【技術分野】
【０００１】
本発明は、課金システム及び複写装置に関し、詳細には、安価かつ利用性の良好な自動販売式複写装置等の課金システム及び複写装置に関する。
【背景技術】
【０００２】
飲料物、飲食物、たばこ、切符等の各種自動販売機や自動販売式複写装置（以下、まとめて自動販売装置という。）が普及し、自動販売装置では、一般的に、紙幣やコイン等の貨幣あるいはプリペイドカードを投入して物品や複写機能の自動販売等を行っている。
【０００３】
このような自動販売装置においては、不正使用をいかに防止するかが重要な課題となっており、従来、プリペイドカードの購入時に、プリペイドカード販売機から利用者の指紋情報とパスワードを入力して、当該プリペイドカードの認証番号とともに管理装置及び当該プリペイドカードにセキュリティデータとして登録して、当該プリペイドカードの使用時に、利用機器にプリペイドカードが差し込まれて、指紋情報とパスワードが入力されると、利用機器が、管理装置から当該プリペイドカードに対応して登録されているセキュリティデータを取得して、当該取得したセキュリティデータ、利用機器から取得した指紋情報とパスワード及びプリペイドカードにセキュリティデータを照合して、一致している場合に利用機器の利用を許可するプリペイドカード照合システム及び電子遊技管理システムが提案されている（特許文献１参照）。
【０００４】
すなわち、この従来技術は、プリペイドカード購入時に指紋情報とパスワードを管理装置とプリペイドカードに登録して、プリペイドカードの利用時に、利用に際して入力された指紋情報とパスワード、管理装置に登録されている指紋情報とパスワード及び当該プリペイドカードに登録されている指紋情報とパスワードの全てが一致する場合に利用を許可しており、プリペイドカードとしては指紋情報やパスワード等を記憶できるカード、すなわち、ＩＣカードが利用されることとなる。
【０００５】
また、本出願人は、先に、ネットワークを介して複数の自動販売機と自販機管理サーバとを接続し、自販機管理サーバに、少なくとも顧客に関する認証情報（顧客の指紋、声紋や眼底写真等の生態情報）を含む顧客情報を格納する顧客情報データベース、少なくとも商品毎に商品品目と販売価格と年齢制限商品であるかを示す情報とを格納した商品情報データベース及び顧客毎に予め設定した期間における販売履歴を格納する販売履歴データベースを設け、自動販売機から送信された顧客に関する認証情報を顧客情報データベースに登録した認証情報と照合して、一致した場合に顧客として認証し、その結果をこの自動販売機へ通知し、また、自動販売機から送信されてきた認証された顧客が所望する商品情報に対して販売可能かどうかを決定し、その結果をこの自動販売機へ通知して、商品販売手段で顧客に商品を販売した場合、その顧客に対してその商品を販売したことを販売履歴データベースへ登録し、販売履歴データベースに記憶された商品の販売履歴に応じて顧客毎に課金する自動販売機による商品販売システムを提案している（特許文献２参照）。
【０００６】
すなわち、この従来技術は、顧客の指紋、声紋や眼底写真等の生態情報を認証情報として、予め自販機管理サーバーに登録した認証情報と比較して顧客を認証し、認証した顧客に商品の販売を行うとともに、当該販売に対する課金を、当該顧客が予め登録したクレジットカード情報を元に行っている。
【０００７】
さらに、従来、挿入された不正カードを不正カード保管手段に回収して、当該回収済不正カードを確実に保管するとともに、保管された不正カードについての情報を管理して、回収済不正カードの持ち出しを防止するプリペイドカードシステムが提案されている（特許文献３参照）。
【０００８】
すなわち、この従来技術は、不正カードの使用を検出して、不正カード使用の行為に対してプリペイドカードの保管を行っている。
【０００９】
また、従来、プリペイドカード等の取引関連物体の取り忘れを検知して、取り忘れがあると、当該取引関連物体を保管する自動販売機および自動販売方法が提案されている（特許文献４参照）。
【００１０】
すなわち、この従来技術は、プリペイドカード等の取引関連物体の取り忘れを検知すると、当該取り忘れられた取引関連物体を保管するが、保管した取引関連物体の所有者への返却は、人を介して行うこととなる。
【００１１】
【特許文献１】特開２００１−３３１７５０号公報
【特許文献２】特開２００３−８５６２４号公報
【特許文献３】特開２０００−２４２８４２号公報
【特許文献４】特開平９−７０４２号公報
【発明の開示】
【発明が解決しようとする課題】
【００１２】
しかしながら、上記従来技術にあっては、安価かつ適切に不正使用を防止しつつ、自動販売を行う上で、改良の必要があるとともに、金銭やプリペイドカード等の課金対象物の取り忘れに対して、人手を介することなくかつ当該課金対象物の正規の所有者に確実に当該課金対象物を返却する上で、改良の必要があった。
【００１３】
すなわち、上記特許文献１記載の従来技術にあっては、プリペイドカード購入時に指紋情報とパスワードを管理装置とプリペイドカードに登録して、プリペイドカードの利用時に、利用に際して入力された指紋情報とパスワード、管理装置に登録されている指紋情報とパスワード及び当該プリペイドカードに登録されている指紋情報とパスワードを照合しているため、ネットワークで接続された管理装置が必要であるだけでなく、プリペイドカードとしては指紋情報やパスワード等を記憶できるカード、すなわち、ＩＣカードを用いる必要があり、システムが大がかりとなるだけでなく、カードの種類が限定され、高価で利用性が悪いという問題があった。
【００１４】
また、特許文献２記載の従来技術にあっては、顧客の指紋、声紋や眼底写真等の生態情報を認証情報として、予め自販機管理サーバーに登録した認証情報と比較して顧客を認証し、認証した顧客に商品の販売を行うとともに、当該販売に対する課金を、当該顧客が予め登録したクレジットカード情報を元に行っているため、プリペイドカードを用いないことから、プリペイドカード等の不正使用を防止することはできるが、ネットワークで接続した自販機と自販機管理サーバーを必要とし、高価なものとなる。
【００１５】
さらに、特許文献３記載の従来技術にあっては、不正カード使用の行為に対してプリペイドカードの保管を行っているため、現金やプリペイドカード等の課金対象物の取り忘れに対しては、対応することができず、改良の必要がある。
【００１６】
また、プリペイドカードの取り忘れを検知すると、当該取り忘れられたプリペイドカードを保管するが、保管したプリペイドカードの所有者への返却は、人を介して行っているため、コストが高くつくとともに、利用性が悪いという問題があった。
【００１７】
そこで、本発明は、安価かつ簡単な構成で、投入された貨幣または貨幣に相当する媒体等の課金対象物の投入者である正規の利用者による複写動作の利用を適切に確保するとともに、正規の利用者以外のものによる課金対象物の不正取得を安価かつ確実に防止する課金システム及び複写装置を提供することを目的としている。
【００１８】
具体的には、請求項１記載の発明は、課金装置で、複写装置での複写動作の許可・不許可を制御するとともに、投入される貨幣または貨幣に相当する媒体等の課金対象物から当該複写装置での複写動作に対する料金を差し引く課金処理を行うに際して、複写装置に、１つ以上の指紋認証手段を設け、課金装置に、課金対象物が投入されるとともに当該投入された課金対象物を取り出し不可能な状態で課金処理を実行する課金対象物投入機構と、１つ以上の指紋認証手段と、少なくとも複写装置の指紋認証手段の取得した指紋情報を記憶する記憶手段と、を設け、課金対象物投入機構に課金対象物を投入した利用者が複写装置の指紋認証手段で指紋認証操作を行うと、当該指紋認証手段で当該利用者の指紋情報を取得し、課金装置が、当該指紋認証手段の取得した指紋情報を課金対象物投入機構に投入されている課金対象物を特定する管理情報とともに記憶手段に記憶し、複写動作の開始要求に際して複写装置の指紋認証手段による指紋認証操作を要求して、当該指紋認証手段の取得した指紋情報及び記憶手段の指紋情報と管理情報に基づいて当該複写動作の許可・不許可の複写動作制御処理及び課金処理を行うとともに、課金対象物投入機構の課金対象物の返却要求に対して課金装置の指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行うことにより、ネットワークで接続された管理装置等を用いることなく、簡単な構成で、指紋認証に基づいて課金対象物を投入した正規の利用者にのみ複写装置の利用を許可するとともに、正規の利用者以外のものによる不正な課金対象物の取り出しを防止し、安価に正規の利用者による適切な複写動作の利用と課金対象物の不正な取得を確実に防止する課金システムを提供することを目的としている。
【００１９】
請求項２記載の発明は、課金装置で、複写装置での複写動作の許可・不許可を制御するとともに、投入される貨幣または貨幣に相当する媒体等の課金対象物から当該複写装置での複写動作に対する料金を差し引く課金処理を行うに際して、課金装置に、課金対象物が投入されるとともに当該投入された課金対象物を取り出し不可能な状態で課金処理を実行する課金対象物投入機構と、１つ以上の指紋認証手段と、当該指紋認証手段の取得した指紋情報を記憶する記憶手段と、を設け、課金対象物投入機構に課金対象物を投入した利用者が指紋認証手段で指紋認証操作を行うと、当該指紋認証手段の取得した当該利用者の指紋情報を課金対象物投入機構に投入されている課金対象物を特定する管理情報とともに記憶手段に記憶し、当該指紋認証手段の取得する指紋情報及び記憶手段の指紋情報と管理情報に基づいて当該複写動作の許可・不許可の複写動作制御処理及び課金処理を行うとともに、課金対象物投入機構の課金対象物の返却要求に対して指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行うことにより、ネットワークで接続された管理装置等を用いることなく、課金に関する指紋認証操作を課金装置に集約した簡単な構成で、利用しやすい指紋認証に基づいて、課金対象物を投入した正規の利用者にのみ複写装置の利用を許可するとともに、正規の利用者以外のものによる不正な課金対象物の取り出しを防止し、安価に正規の利用者による適切な複写動作の利用と課金対象物の不正な取得を確実に防止するとともに利用性の良好な課金システムを提供することを目的としている。
【００２０】
請求項３記載の発明は、課金装置で、複写装置での複写動作の許可・不許可を制御するとともに、投入される貨幣または貨幣に相当する媒体等の課金対象物から当該複写装置での複写動作に対する料金を差し引く課金処理を行うに際して、複写装置に、１つ以上の指紋認証手段と、少なくとも当該指紋認証手段の取得した指紋情報を記憶する記憶手段と、を設け、課金装置に、課金対象物が投入されるとともに当該投入された課金対象物を取り出し不可能な状態で課金処理を実行する課金対象物投入機構を設け、複写動作の開始要求に際して指紋認証手段による指紋認証操作を要求して、当該指紋認証手段の取得した指紋情報を課金対象物投入機構に投入されている課金対象物を特定する管理情報とともに記憶手段に記憶し、複写動作の開始要求に際して当該指紋認証手段の取得した指紋情報及び記憶手段の指紋情報と管理情報に基づいて当該複写動作の許可・不許可の複写動作制御処理及び課金処理を行うとともに、課金対象物投入機構の課金対象物の返却要求に対して複写装置の指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行うことにより、ネットワークで接続された管理装置等を用いることなく、課金に必要な機構のみを課金装置に設け、他の手段を複写装置に集約した簡単な構成で、指紋認証に基づいて課金対象物を投入した正規の利用者にのみ複写装置の利用を許可するとともに、正規の利用者以外のものによる不正な課金対象物の取り出しを防止し、より一層安価に正規の利用者による適切な複写動作の利用と課金対象物の不正な取得を確実に防止する課金システムを提供することを目的としている。
【００２１】
請求項４記載の発明は、複写機構での複写動作の許可・不許可を制御するとともに、投入される貨幣または貨幣に相当する媒体等の課金対象物から当該複写動作に対する料金を差し引く課金手段を内蔵し、課金対象物が投入されるとともに当該投入された課金対象物を取り出し不可能な状態で課金処理を実行する課金対象物投入機構と、１つ以上の指紋認証手段と、少なくとも当該指紋認証手段の取得した指紋情報を記憶する記憶手段と、を設け、課金対象物投入機構に課金対象物を投入した利用者が指紋認証手段で指紋認証操作を行うと、当該指紋認証手段が当該利用者の指紋情報を取得し、課金手段が、当該指紋認証手段の取得した指紋情報を課金対象物投入機構に投入されている課金対象物を特定する管理情報とともに記憶手段に記憶し、複写動作の開始要求に際して指紋認証手段による指紋認証操作を要求して、当該指紋認証手段の取得した指紋情報及び記憶手段の指紋情報と管理情報に基づいて当該複写動作の許可・不許可の複写動作制御処理及び課金処理を行うとともに、課金対象物投入機構の課金対象物の返却要求に対して指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行うことにより、ネットワークで接続された管理装置等を用いることなく、指紋認証を伴う課金処理に必要な手段を内蔵した簡単な構成で、指紋認証に基づいて課金対象物を投入した正規の利用者にのみ複写装置の利用を許可するとともに、正規の利用者以外のものによる不正な課金対象物の取り出しを防止し、安価に正規の利用者による適切な複写動作の利用と課金対象物の不正な取得を確実に防止する小型の複写装置を提供することを目的としている。
【００２２】
請求項５記載の発明は、課金対象物投入機構に課金対象物が投入されている状態で、複写動作が所定の待ち時間行われることなく、所定範囲内の人体の有無を検知する人体感知センサが人体を検知しないと、当該課金対象物投入機構に投入されている当該課金対象物を保管手段に移動して保管する保管処理を行うことにより、課金対象物を安全に保管して、不正に取り出されることをより一層確実に防止する課金システム及び複写装置を提供することを目的としている。
【００２３】
請求項６記載の発明は、保管手段に保管している課金対象物の返却要求があると、指紋認証手段での指紋認証に基づいて正規の所有者であるか否か判定して、当該課金対象物の返却を制御することにより、保管した課金対象物を、人手を介することなく、安価にかつ確実に正規の所有者に返却する課金システム及び複写装置を提供することを目的としている。
【００２４】
請求項７記載の発明は、課金対象物投入機構または保管手段に課金対象物が残留する間、記憶手段に指紋情報及び管理情報を記憶し、当該課金対象物が排出されると、当該記憶手段の当該排出された課金対象物の指紋情報及び管理情報を消去することにより、プライバシーの流出を防止するとともに、少ない記憶容量の記憶手段で対応できるようにし、より一層安価に正規の利用者による適切な複写動作の利用と課金対象物の不正な取得を確実に防止する課金システム及び複写装置を提供することを目的としている。
【００２５】
請求項８記載の発明は、課金対象物投入機構に投入されている課金対象物または保管手段の保管する課金対象物に関する情報を所定の表示手段に表示出力することにより、課金対象物の取り忘れを抑制するとともに、取り忘れが発生しても課金対象物の在処を明確にし、利用性の良好な課金システム及び複写装置を提供することを目的としている。
【００２６】
請求項９記載の発明は、保管手段が課金対象物で満杯になると、その旨を当該課金システムまたは当該複写装置の管理者に通知することにより、速やかに課金システムや複写装置の復帰を行い、利用性の良好な課金システム及び複写装置を提供することを目的としている。
【００２７】
請求項１０記載の発明は、保管手段が課金対象物で満杯になると、課金対象物の保管処理を停止することにより、保管手段の保管能力を超えた際の不用意な動作を防止する課金システム及び複写装置を提供することを目的としている。
【００２８】
請求項１１記載の発明は、課金対象物投入機構に課金対象物が投入されている状態で、複写動作が所定の待ち時間行われることなく、所定範囲内の人体の有無を検知する人体感知センサが人体を検知しないと、課金対象物の取り忘れであると判定して、管理者に課金対象物の取り忘れが発生した旨を連絡することにより、課金対象物の取り忘れに対する対応を速やかに行い、利用性の良好な課金システム及び複写装置を提供することを目的としている。
【課題を解決するための手段】
【００２９】
請求項１記載の発明の課金システムは、用紙への画像の複写を行う複写装置と、当該複写装置に接続され当該複写装置と相互に通信して当該複写装置での複写動作の許可・不許可を制御するとともに、投入される貨幣または貨幣に相当する媒体等の課金対象物から当該複写装置での複写動作に対する料金を差し引く課金処理を行う課金装置と、を備えた課金システムにおいて、前記複写装置が、１つ以上の指紋認証手段を有し、前記課金装置が、前記課金対象物が投入されるとともに当該投入された課金対象物を取り出し不可能な状態で前記課金処理を実行する課金対象物投入機構と、１つ以上の指紋認証手段と、少なくとも前記複写装置の指紋認証手段の取得した指紋情報を記憶する記憶手段と、を有し、前記課金対象物投入機構に前記課金対象物を投入した利用者が前記複写装置の指紋認証手段で指紋認証操作を行うと、当該指紋認証手段が当該利用者の指紋情報を取得し、前記課金装置が、当該指紋認証手段の取得した指紋情報を前記課金対象物投入機構に投入されている前記課金対象物を特定する管理情報とともに前記記憶手段に記憶し、前記複写動作の開始要求に際して前記複写装置の指紋認証手段による指紋認証操作を要求して、当該指紋認証手段の取得した指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記課金装置の指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことにより、上記目的を達成している。
【００３０】
請求項２記載の発明の課金システムは、用紙への画像の複写を行う複写装置と、当該複写装置に接続され当該複写装置と相互に通信して当該複写装置での複写動作の許可・不許可を制御するとともに、投入される貨幣または貨幣に相当する媒体等の課金対象物から当該複写装置での複写動作に対する料金を差し引く課金処理を行う課金装置と、を備えた課金システムにおいて、前記課金装置が、前記課金対象物が投入されるとともに当該投入された課金対象物を取り出し不可能な状態で前記課金処理を実行する課金対象物投入機構と、１つ以上の指紋認証手段と、当該指紋認証手段の取得した指紋情報を記憶する記憶手段と、を有し、前記課金対象物投入機構に前記課金対象物を投入した利用者が前記指紋認証手段で指紋認証操作を行うと、当該指紋認証手段の取得した当該利用者の指紋情報を前記課金対象物投入機構に投入されている前記課金対象物を特定する管理情報とともに前記記憶手段に記憶し、当該指紋認証手段の取得する指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことにより、上記目的を達成している。
【００３１】
請求項３記載の発明の課金システムは、用紙への画像の複写を行う複写装置と、当該複写装置に接続され当該複写装置と相互に通信して当該複写装置での複写動作の許可・不許可を制御するとともに、投入される貨幣または貨幣に相当する媒体等の課金対象物から当該複写装置での複写動作に対する料金を差し引く課金処理を行う課金装置と、を備えた課金システムにおいて、前記複写装置が、１つ以上の指紋認証手段と、少なくとも当該指紋認証手段の取得した指紋情報を記憶する記憶手段と、を有し、前記課金装置が、前記課金対象物が投入されるとともに当該投入された課金対象物を取り出し不可能な状態で前記課金処理を実行する課金対象物投入機構を有し、前記複写動作の開始要求に際して前記指紋認証手段による指紋認証操作を要求して、当該指紋認証手段の取得した指紋情報を前記課金対象物投入機構に投入されている前記課金対象物を特定する管理情報とともに前記記憶手段に記憶し、複写動作の開始要求に際して当該指紋認証手段の取得した指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記複写装置の指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことにより、上記目的を達成している。
【００３２】
請求項４記載の発明の複写装置は、用紙への画像の複写を行う複写機構と、当該複写機構での複写動作の許可・不許可を制御するとともに、投入される貨幣または貨幣に相当する媒体等の課金対象物から当該複写動作に対する料金を差し引く課金手段と、を内蔵した複写装置において、前記課金対象物が投入されるとともに当該投入された課金対象物を取り出し不可能な状態で前記課金処理を実行する課金対象物投入機構と、１つ以上の指紋認証手段と、少なくとも当該指紋認証手段の取得した指紋情報を記憶する記憶手段と、を有し、前記課金対象物投入機構に前記課金対象物を投入した利用者が前記指紋認証手段で指紋認証操作を行うと、当該指紋認証手段が当該利用者の指紋情報を取得し、前記課金手段が、当該指紋認証手段の取得した指紋情報を前記課金対象物投入機構に投入されている前記課金対象物を特定する管理情報とともに前記記憶手段に記憶し、前記複写動作の開始要求に際して前記指紋認証手段による指紋認証操作を要求して、当該指紋認証手段の取得した指紋情報及び前記記憶手段の指紋情報と管理情報に基づいて当該複写動作の許可・不許可の複写動作制御処理及び前記課金処理を行うとともに、前記課金対象物投入機構の前記課金対象物の返却要求に対して前記指紋認証手段での指紋認証を要求し、当該指紋認証手段の取得した指紋情報及び前記記憶手段の指紋情報と管理情報に基づいて当該返却要求が前記課金対象物投入機構に投入された前記課金対象物の正規の所有者による返却要求であるか否か判定して当該課金対象物の返却を行うか否かの課金対象物返却制御処理を行うことにより、上記目的を達成している。
【００３３】
上記各場合において、例えば、請求項５に記載するように、前記課金システムまたは前記複写装置は、所定範囲内の人体の有無を検知する人体感知センサと、前記課金対象物投入機構に投入された前記課金対象物を当該課金対象物投入機構から受け取って一時保管する保管手段と、を備え、前記課金対象物投入機構に前記課金対象物が投入されている状態で、前記複写動作が所定の待ち時間行われることなく、前記人体感知センサが人体を検知しないと、当該課金対象物投入機構に投入されている当該課金対象物を前記保管手段に移動して保管する保管処理を行うものであってもよい。
【００３４】
また、例えば、請求項６に記載するように、前記課金システムまたは前記複写装置は、前記保管手段に保管している前記課金対象物の返却要求があると、前記指紋認証手段での指紋認証に基づいて正規の所有者であるか否か判定して、当該課金対象物の返却を制御するものであってもよい。
【００３５】
さらに、例えば、請求項７に記載するように、前記課金システムまたは前記複写装置は、前記課金対象物投入機構または前記保管手段に前記課金対象物が残留する間、前記記憶手段に前記指紋情報及び前記管理情報を記憶し、当該課金対象物が排出されると、当該記憶手段の当該排出された課金対象物の指紋情報及び管理情報を消去するものであってもよい。
【００３６】
また、例えば、請求項８に記載するように、前記課金システムまたは前記複写装置は、前記課金対象物投入機構に投入されている前記課金対象物または前記保管手段の保管する前記課金対象物に関する情報を所定の表示手段に表示出力するものであってもよい。
【００３７】
さらに、例えば、請求項９に記載するように、前記課金システムまたは前記複写装置は、前記保管手段が前記課金対象物で満杯になると、その旨を当該課金システムまたは当該複写装置の管理者に通知するものであってもよい。
【００３８】
また、例えば、請求項１０に記載するように、前記課金システムまたは前記複写装置は、前記保管手段が前記課金対象物で満杯になると、前記課金対象物の保管処理を停止するものであってもよい。
【００３９】
さらに、例えば、請求項１１に記載するように、前記課金システムまたは前記複写装置は、所定範囲内の人体の有無を検知する人体感知センサと、当該課金システムまたは当該複写装置の管理者への連絡手段と、を備え、前記課金対象物投入機構に前記課金対象物が投入されている状態で、前記複写動作が所定の待ち時間行われることなく、前記人体感知センサが人体を検知しないと、前記課金対象物の取り忘れであると判定して、前記連絡手段で前記管理者に課金対象物の取り忘れが発生した旨を連絡するものであってもよい。
【発明の効果】
【００４０】
請求項１記載の発明の課金システムによれば、課金装置で、複写装置での複写動作の許可・不許可を制御するとともに、投入される貨幣または貨幣に相当する媒体等の課金対象物から当該複写装置での複写動作に対する料金を差し引く課金処理を行うに際して、複写装置に、１つ以上の指紋認証手段を設け、課金装置に、課金対象物が投入されるとともに当該投入された課金対象物を取り出し不可能な状態で課金処理を実行する課金対象物投入機構と、１つ以上の指紋認証手段と、少なくとも複写装置の指紋認証手段の取得した指紋情報を記憶する記憶手段と、を設け、課金対象物投入機構に課金対象物を投入した利用者が複写装置の指紋認証手段で指紋認証操作を行うと、当該指紋認証手段で当該利用者の指紋情報を取得し、課金装置が、当該指紋認証手段の取得した指紋情報を課金対象物投入機構に投入されている課金対象物を特定する管理情報とともに記憶手段に記憶し、複写動作の開始要求に際して複写装置の指紋認証手段による指紋認証操作を要求して、当該指紋認証手段の取得した指紋情報及び記憶手段の指紋情報と管理情報に基づいて当該複写動作の許可・不許可の複写動作制御処理及び課金処理を行うとともに、課金対象物投入機構の課金対象物の返却要求に対して課金装置の指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行っているので、ネットワークで接続された管理装置等を用いることなく、簡単な構成で、指紋認証に基づいて課金対象物を投入した正規の利用者にのみ複写装置の利用を許可することができるとともに、正規の利用者以外のものによる不正な課金対象物の取り出しを防止することができ、安価に正規の利用者による適切な複写動作の利用と課金対象物の不正な取得を確実に防止することができる。
【００４１】
請求項２記載の発明の課金システムによれば、課金装置で、複写装置での複写動作の許可・不許可を制御するとともに、投入される貨幣または貨幣に相当する媒体等の課金対象物から当該複写装置での複写動作に対する料金を差し引く課金処理を行うに際して、課金装置に、課金対象物が投入されるとともに当該投入された課金対象物を取り出し不可能な状態で課金処理を実行する課金対象物投入機構と、１つ以上の指紋認証手段と、当該指紋認証手段の取得した指紋情報を記憶する記憶手段と、を設け、課金対象物投入機構に課金対象物を投入した利用者が指紋認証手段で指紋認証操作を行うと、当該指紋認証手段の取得した当該利用者の指紋情報を課金対象物投入機構に投入されている課金対象物を特定する管理情報とともに記憶手段に記憶し、当該指紋認証手段の取得する指紋情報及び記憶手段の指紋情報と管理情報に基づいて当該複写動作の許可・不許可の複写動作制御処理及び課金処理を行うとともに、課金対象物投入機構の課金対象物の返却要求に対して指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行っているので、ネットワークで接続された管理装置等を用いることなく、課金に関する指紋認証操作を課金装置に集約した簡単な構成で、利用しやすい指紋認証に基づいて、課金対象物を投入した正規の利用者にのみ複写装置の利用を許可することができるとともに、正規の利用者以外のものによる不正な課金対象物の取り出しを防止することができ、安価に正規の利用者による適切な複写動作の利用と課金対象物の不正な取得を確実に防止することができるとともに利用性を向上させることができる。
【００４２】
請求項３記載の発明の課金システムによれば、課金装置で、複写装置での複写動作の許可・不許可を制御するとともに、投入される貨幣または貨幣に相当する媒体等の課金対象物から当該複写装置での複写動作に対する料金を差し引く課金処理を行うに際して、複写装置に、１つ以上の指紋認証手段と、少なくとも当該指紋認証手段の取得した指紋情報を記憶する記憶手段と、を設け、課金装置に、課金対象物が投入されるとともに当該投入された課金対象物を取り出し不可能な状態で課金処理を実行する課金対象物投入機構を設け、複写動作の開始要求に際して指紋認証手段による指紋認証操作を要求して、当該指紋認証手段の取得した指紋情報を課金対象物投入機構に投入されている課金対象物を特定する管理情報とともに記憶手段に記憶し、複写動作の開始要求に際して当該指紋認証手段の取得した指紋情報及び記憶手段の指紋情報と管理情報に基づいて当該複写動作の許可・不許可の複写動作制御処理及び課金処理を行うとともに、課金対象物投入機構の課金対象物の返却要求に対して複写装置の指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行っているので、ネットワークで接続された管理装置等を用いることなく、課金に必要な機構のみを課金装置に設け、他の手段を複写装置に集約した簡単な構成で、指紋認証に基づいて課金対象物を投入した正規の利用者にのみ複写装置の利用を許可することができるとともに、正規の利用者以外のものによる不正な課金対象物の取り出しを防止することができ、より一層安価に正規の利用者による適切な複写動作の利用と課金対象物の不正な取得を確実に防止することができる。
【００４３】
請求項４記載の発明の複写装置によれば、複写機構での複写動作の許可・不許可を制御するとともに、投入される貨幣または貨幣に相当する媒体等の課金対象物から当該複写動作に対する料金を差し引く課金手段を内蔵し、課金対象物が投入されるとともに当該投入された課金対象物を取り出し不可能な状態で課金処理を実行する課金対象物投入機構と、１つ以上の指紋認証手段と、少なくとも当該指紋認証手段の取得した指紋情報を記憶する記憶手段と、を設け、課金対象物投入機構に課金対象物を投入した利用者が指紋認証手段で指紋認証操作を行うと、当該指紋認証手段が当該利用者の指紋情報を取得し、課金手段が、当該指紋認証手段の取得した指紋情報を課金対象物投入機構に投入されている課金対象物を特定する管理情報とともに記憶手段に記憶し、複写動作の開始要求に際して指紋認証手段による指紋認証操作を要求して、当該指紋認証手段の取得した指紋情報及び記憶手段の指紋情報と管理情報に基づいて当該複写動作の許可・不許可の複写動作制御処理及び課金処理を行うとともに、課金対象物投入機構の課金対象物の返却要求に対して指紋認証手段での指紋認証を要求し、当該指紋認証手段の取得した指紋情報及び記憶手段の指紋情報と管理情報に基づいて当該返却要求が課金対象物投入機構に投入された課金対象物の正規の所有者による返却要求であるか否か判定して当該課金対象物の返却を行うか否かの課金対象物返却制御処理を行っているので、ネットワークで接続された管理装置等を用いることなく、指紋認証を伴う課金処理に必要な手段を内蔵した簡単な構成で、指紋認証に基づいて課金対象物を投入した正規の利用者にのみ複写装置の利用を許可することができるとともに、正規の利用者以外のものによる不正な課金対象物の取り出しを防止することができ、安価に正規の利用者による適切な複写動作の利用と課金対象物の不正な取得を確実に防止することができる。
【００４４】
請求項５記載の発明の課金システム及び複写装置によれば、課金対象物投入機構に課金対象物が投入されている状態で、複写動作が所定の待ち時間行われることなく、所定範囲内の人体の有無を検知する人体感知センサが人体を検知しないと、当該課金対象物投入機構に投入されている当該課金対象物を保管手段に移動して保管する保管処理を行っているので、課金対象物を安全に保管して、不正に取り出されることをより一層確実に防止することができる。
【００４５】
請求項６記載の発明の課金システム及び複写装置によれば、保管手段に保管している課金対象物の返却要求があると、指紋認証手段での指紋認証に基づいて正規の所有者であるか否か判定して、当該課金対象物の返却を制御しているので、保管した課金対象物を、人手を介することなく、安価にかつ確実に正規の所有者に返却することができる。
【００４６】
請求項７記載の発明の課金システム及び複写装置によれば、課金対象物投入機構または保管手段に課金対象物が残留する間、記憶手段に指紋情報及び管理情報を記憶し、当該課金対象物が排出されると、当該記憶手段の当該排出された課金対象物の指紋情報及び管理情報を消去するので、プライバシーの流出を防止することができるとともに、少ない記憶容量の記憶手段で対応できるようにすることができ、より一層安価に正規の利用者による適切な複写動作の利用と課金対象物の不正な取得を確実に防止することができる。
【００４７】
請求項８記載の発明の課金システム及び複写装置によれば、課金対象物投入機構に投入されている課金対象物または保管手段の保管する課金対象物に関する情報を所定の表示手段に表示出力するので、課金対象物の取り忘れを抑制することができるとともに、取り忘れが発生しても課金対象物の在処を明確にして、利用性を向上させることができる。
【００４８】
請求項９記載の発明の課金システム及び複写装置によれば、保管手段が課金対象物で満杯になると、その旨を当該課金システムまたは当該複写装置の管理者に通知するので、速やかに課金システムや複写装置の復帰を行うことができ、利用性を向上させることができる。
【００４９】
請求項１０記載の発明の課金システム及び複写装置によれば、保管手段が課金対象物で満杯になると、課金対象物の保管処理を停止するので、保管手段の保管能力を超えた際の不用意な動作を防止することができる。
【００５０】
請求項１１記載の発明の課金システム及び複写装置によれば、課金対象物投入機構に課金対象物が投入されている状態で、複写動作が所定の待ち時間行われることなく、所定範囲内の人体の有無を検知する人体感知センサが人体を検知しないと、課金対象物の取り忘れであると判定して、管理者に課金対象物の取り忘れが発生した旨を連絡するので、課金対象物の取り忘れに対する対応を速やかに行うことができ、利用性を向上させることができる。
【発明を実施するための最良の形態】
【００５１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００５２】
図１〜図３は、本発明の課金システム及び複写装置の第１実施例を示す図であり、図１は、本発明の課金システム及び複写装置の第１実施例を適用した複写装置用課金システム１のブロック構成図である。
【００５３】
図１において、複写装置用課金システム１は、複写装置１０と課金装置２０が、ケーブル等の有線または無線で接続されており、相互に通信可能である。
【００５４】
複写装置１０は、複写機構部１１、制御部１２及びスタートキー兼指紋認証機（指紋認証手段）１３等を備えている。
【００５５】
複写機構部１１は、コンタクトガラス上にセットされた原稿を主走査・副走査して当該原稿の画像を白黒またはカラーで光学的に読み取るスキャナ部及びスキャナ部の読み取った原稿の画像データあるいは外部から入力される画像データに基づいて所定の記録方式、例えば、電子写真方式で白黒画像またはカラー画像を記録紙に記録出力するプリンタ部等を備え、制御部１２の制御下で、スキャナ部とプリンタ部が動作して複写動作を行い、また、プリンタ部のみで、外部からの画像データに基づくプリンタ動作を行う。
【００５６】
制御部１２には、課金装置２０から制御信号が入力され、制御部１２は、制御信号が複写機構部１１の動作を許可しているときには、複写機構部１１の動作を制御して、複写動作やプリンタ動作を行わせ、制御信号が複写機構部１１の動作を禁止しているときには、複写機構部１１の動作を制御して、複写動作やプリンタ動作を禁止する。
【００５７】
スタートキー兼指紋認証機１３は、複写装置１０の利用者が複写動作等の動作の開始を指示操作するスタートキーに指紋認証機能を持たせたものであり、撮像素子等を備えていて、利用者が人差し指等の指を使用してスタートキー兼指紋認証機１３の押下操作を行うと、スタート信号を制御部１２に出力するとともに、当該指を撮影して、利用者の指紋情報を取得する。スタートキー兼指紋認証機１３は、取得した指紋情報を課金装置２０に出力する。
【００５８】
課金装置２０は、制御部２１、指紋認証機（指紋認証手段）２２、メモリ（記憶手段）２３、カードリーダ（課金対象物投入機構）２４及びカード保管庫（保管手段）２５等を備えている。
【００５９】
制御部２１は、課金装置２０の動作を制御するものであり、制御部２１には、複写装置１０のスタートキー兼指紋認証機１３から指紋情報が送られてくる。制御部２１は、後述するように、スタートキー兼指紋認証機１３からの指紋情報、指紋認証機２２の取得する指紋情報及びメモリ２３に記憶する指紋情報等に基づいて、制御信号を複写装置１０の制御部１２に出力して、指紋認証に基づく複写機構部１１の複写動作制御処理を適切に行うとともに、複写動作に対する料金を投入されるプリペイドカードの残金情報から差し引く課金処理を行い、さらに、カードリーダ２４内のプリペイドカードの取り忘れ処理を行う。
【００６０】
カードリーダ２４には、ＩＣカード、磁気カード等のプリペイドカード（課金対象物）が着脱可能に挿入され、カードリーダ２４は、制御部２１の制御下で、当該挿入されたプリペイドカードに記録されている残金情報、カードナンバー等のカード情報（管理情報）を読み取って制御部２１に出力し、また、残金情報等のカード情報を上書き等の方法で更新する。
【００６１】
カード保管庫２５は、プリペイドカードを所定の複数枚保管する容量を備えており、カードリーダ２４に挿入されたプリペイドカードが取り忘れられた際に、制御部２１の制御下で、当該取り忘れられたプリペイドカードを取り込んで保管し、また、保管したプリペイドカードをカードリーダ２４を通して排出させる機能を備えている。
【００６２】
指紋認証機２２は、撮像素子等を備えており、利用者が人差し指等のスタートキー兼指紋認証機１３を操作するのに使用した指が載せられると、当該指を撮影して、当該指の指紋情報を取得して、取得した指紋情報を制御部２１に出力する。
【００６３】
制御部２１は、複写装置１０のスタートキー兼指紋認証機１３から指紋情報が送られてくると、当該指紋情報をメモリ２３に記憶させ、また、指紋認証機２２で指紋情報の取得を行うと、当該取得した指紋がメモリ２３に記憶している指紋情報と一致するか否かの検証を行って、カード保管庫２５に保管した取り忘れプリペイドカードを排出するか否かの取り忘れ制御処理を行う。
【００６４】
なお、図示しないが、複写装置１０または課金装置２０に、複写装置１０及び課金装置２０の周辺に操作者の有無を検知する人体感知センサ、例えば、赤外線人体感知センサ等が設けられており、課金装置１０は、当該人体感知センサの検知結果に基づいて、後述する取り忘れを判定する。
【００６５】
次に、本実施例の作用を説明する。本実施例の複写装置用課金システム１は、複写装置１０と課金装置２０に指紋認証機１３、２２を設け、これらの指紋認証機１３、２２での指紋認証に基づいてプリペイドカードの所有者（正規の利用者）による適切な複写装置１０の利用を提供するとともに、課金処理を行い、かつ、取り忘れられたプリペイドカードの所有者への返却を人手を介することなく適切に行う。
【００６６】
すなわち、複写装置用課金システム１は、図２に示すように、複写装置１０が待機中、すなわち、利用者が正常に利用を終了したあとの状態で（ステップＳ１０１）、利用者が、プリペイドカードを課金装置２０のカードリーダ２４に挿入すると（ステップＳ１０２）、課金装置２０の制御部２１が、カードリーダ２４に当該プリペイドカードの必要なカード情報を読み取らせて、当該カード情報をメモリ２３に格納するとともに、スタートキー兼指紋認証機１３が押下されたか、課金装置２０の指紋認証機２２への指紋認証操作が行われたかをチェックし（ステップＳ１０３、Ｓ１０４）、スタートキー兼指紋認証機１３が押下されることなく、指紋認証機２２での指紋認証操作が行われると、カード排出要求であると判断して、カードリーダ２４を制御して挿入されているプリペイドカードを排出させてステップＳ１０２に戻る（ステップＳ１０５）。なお、複写装置用課金システム１では、カードリーダ２４にプリペイドカードが挿入されると、後述する指紋認証を伴う返却要求を行わないと当該プリペイドカードを物理的に取り出すことができない状態に移行する。
【００６７】
ステップＳ１０３で、スタートキー兼指紋認証機１３が押下されると、スタートキー兼指紋認証機１３が当該押下操作された指の指紋情報を取得して制御部２１に渡し、制御部２１が当該指紋情報をカードリーダ２４の読み取ったプリペイドカードのカードナンバー等のカード情報に対応させてメモリ２３に記憶させる（ステップＳ１０６）。
【００６８】
制御部２１は、指紋情報のメモリ２３への記憶を行うと、動作許可を指示する制御信号を複写装置１０の制御部１２に出力し、制御部１２が、複写機構部１１を制御して、複写装置１０の操作部で指示された指示動作、例えば、所定枚数の原稿の所定部数のコピー動作を処理する（ステップＳ１０７）。
【００６９】
制御部２１は、複写装置１０での指示動作が完了して、制御部１２から指示動作処理の完了を示す信号が入力されてると、図３に示すように、再度、新たな動作の開始を指示するためにスタートキー兼指紋認証機１３が押下されたかチェックし（ステップＳ１０８）、スタートキー兼指紋認証機１３が押下されると、スタートキー兼指紋認証機１３が当該押下操作された指の指紋情報を取得して制御部２１に渡す（ステップＳ１０９）。
【００７０】
次に、制御部２１は、スタートキー兼指紋認証機１３の取得した指紋情報が、ステップＳ１０６でメモリ２３に記憶した指紋情報と一致するかチェックし（ステップＳ１１０）、一致するときには、カードリーダ２４に挿入されているプリペイドカードの正規の所有者による利用、すなわち、プリペイドカードの正規の利用者による利用であると判断して、ステップＳ１０７に戻って、上記同様に、指示動作処理を行って、再度、スタートキー兼指紋認証機１３が押下されたかチェックする（ステップＳ１０８）。
【００７１】
ステップＳ１１０で、取得した指紋情報と記憶している指紋情報が一致しないときには、制御部２１は、カードリーダ２４に挿入されているプリペイドカードの所有者でないものによる利用、すなわち、プリペイドカードの正規の利用ではない不正利用であると判断して、動作処理の禁止を示す制御信号を複写装置１０の制御部１２に出力して、指示された動作処理を中止させるとともに、指紋情報が不一致である旨の指紋不一致通知を複写装置１０または課金装置２０の表示部に表示出力したり、スピーカから拡声出力したり、複写装置用課金システム１の管理者への通知を行い（ステップＳ１１１）、ステップＳ１０８に戻って、再度、スタートキー兼指紋認証機１３が押下されるかチェックする（ステップＳ１０８）。したがって、プリペイドカードをカードリーダ２４に挿入した正規の利用者以外の第三者が、当該挿入されているプリペイドカードを用いて複写操作を行おうとしても、スタートキー兼指紋認証機１３で先に登録された指紋情報と今回スタートキー兼指紋認証機１３を操作して複写操作を行おうとした第三者の採取された指紋情報が一致しないために、複写は実行されず、不正使用を防止することができる。
【００７２】
ステップＳ１０８で、スタートキー兼指紋認証機１３が押下されないときには、制御部２１は、課金装置２０の指紋認証機２２での指紋認証操作が行われたかをチェックし（ステップＳ１１２）、指紋認証機２２での指紋認証操作が行われると、複写装置１０の利用が終了して、プリペイドカードの排出が要求されていると判断して、カードリーダ２４を制御して、挿入されているプリペイドカードを排出させて、処理を終了する（ステップＳ１１３）。
【００７３】
ステップＳ１１２で、指紋認証機２２での指紋認証操作が行われないときには、制御部２１は、予め設定されている取り忘れ時間（待ち時間）が経過したかチェックし（ステップＳ１１４）、取り忘れ時間が経過していないときには、ステップＳ１０８に戻って、再度、スタートキー兼指紋認証機１３の押下のチェックから上記同様に処理する（ステップＳ１０８〜Ｓ１１４）。
【００７４】
ステップＳ１１４で、取り忘れ時間が経過していると、制御部２１は、カード保管庫２５が満杯であるかチェックし（ステップＳ１１５）、カード保管庫２５が満杯でないときには、カードリーダ２４に挿入されているプリペイドカードをカード保管庫２５に移動させて保管させる取り忘れモードに移行して（ステップＳ１１６）、課金装置２０の指紋認証機２２で指紋認証操作が行われたかチェックする（ステップＳ１１７）。
【００７５】
ステップＳ１１７で、指紋認証操作が行われないときには、制御部２１は、カード保管庫２５に保管したプリペイドカードに対する取り忘れモードを継続しつつ、処理を終了して、新たなプリペイドカードによる課金複写処理を可能とする。
【００７６】
ステップＳ１１７で、指紋認証操作が行われると、指紋認証機２２で指紋取得を行い、取得した指紋情報と一致する指紋情報がメモリ２３に格納されているか照合して、一致する指紋情報があると、当該指紋情報に対応してメモリ２３に記憶されているカードナンバーのプリペイドカードをカード保管庫２５からカードリーダ２４を通して排出し、プリペイドカードを返却して、処理を終了する（ステップＳ１１８）。したがって、課金装置２０の指紋認証機２２を使用して第三者が不正にプリペイドカードを取り出そうとした場合、指紋情報が一致しないため、取り出すことができず、プリペイドカードの不正な取り出しを防止することができる。
【００７７】
また、ステップＳ１１５で、カード保管庫２５が満杯であると、制御部２１は、新たな処理を中止して、所定の満杯処理、例えば、プリペイドカードの正規の所有者が上記プリペイドカードの取り出しを行ってカード保管庫２５に空きが発生するまで、または、複写装置用課金システム１の管理者に連絡して管理者がカード保管庫２５内のプリペイドカードを取り去るまで、複写装置用課金システム１の動作を停止させる満杯処理を行う（ステップＳ１１９）。
【００７８】
このように、本実施例の複写装置用課金システム１は、課金装置２０で、複写装置１０での複写動作の許可・不許可を制御するとともに、投入されるプリペイドカードから複写装置１０での複写動作に対する料金を差し引く課金処理を行うに際して、複写装置１０に、スタートキー兼指紋認証機１３を設け、課金装置２０に、プリペイドカードが投入されるとともに当該投入されたプリペイドカードを取り出し不可能な状態で課金処理を実行するカードリーダ２４と、指紋認証機２２と、複写装置１０のスタートキー兼指紋認証機１３の取得した指紋情報を記憶するメモリ２３と、を設け、カードリーダ２４にプリペイドカードを投入した利用者が複写装置１０のスタートキー兼指紋認証機１３で指紋認証操作を行うと、スタートキー兼指紋認証機１３で当該利用者の指紋情報を取得し、課金装置２０が、スタートキー兼指紋認証機１３の取得した指紋情報をカードリーダ２４に投入されているプリペイドカードを特定する管理情報（カード情報）とともにメモリ２３に記憶し、複写動作の開始要求に際して複写装置１０のスタートキー兼指紋認証機１３による指紋認証操作を要求して、スタートキー兼指紋認証機１３の取得した指紋情報及びメモリ２３の指紋情報と管理情報に基づいて当該複写動作の許可・不許可の複写動作制御処理及び課金処理を行うとともに、カードリーダ２４のプリペイドカードの返却要求に対して課金装置２０の指紋認証機２２での指紋認証を要求し、指紋認証機２２の取得した指紋情報及びメモリ２３の指紋情報とカード情報に基づいて当該返却要求がカードリーダ２４に投入されたプリペイドカードの正規の所有者による返却要求であるか否か判定して当該プリペイドカードの返却を行うか否かの返却制御処理を行っている。
【００７９】
したがって、ネットワークで接続された管理装置等を用いることなく、簡単な構成で、指紋認証に基づいてプリペイドカードを投入した正規の利用者にのみ複写装置１０の利用を許可することができるとともに、正規の利用者以外のものによる不正なプリペイドカードの取り出しを防止することができ、安価に正規の利用者による適切な複写動作の利用とプリペイドカードの不正な取得を確実に防止することができる。
【００８０】
また、本実施例の複写装置用課金システム１は、カードリーダ２４にプリペイドカードが投入されている状態で、複写動作が所定の取り忘れ時間行われることなく、所定範囲内の人体の有無を検知する人体感知センサが人体を検知しないと、カードリーダ２４に投入されているプリペイドカードをカード保管庫２５に移動して保管する保管処理を行っている。
【００８１】
したがって、プリペイドカードを安全に保管して、不正に取り出されることをより一層確実に防止することができる。
【００８２】
さらに、本実施例の複写装置用課金システム１は、カード保管庫２５に保管しているプリペイドカードの返却要求があると、指紋認証機２２での指紋認証に基づいて正規の所有者であるか否か判定して、プリペイドカードの返却を制御している。
【００８３】
したがって、保管したプリペイドカードを、人手を介することなく、安価にかつ確実に正規の所有者に返却することができる。
【００８４】
また、本実施例の複写装置用課金システム１は、カードリーダ２４またはカード保管庫２５にプリペイドカードが残留する間、メモリ２３に指紋情報及びカード情報を記憶し、プリペイドカードが排出されると、メモリ２３の当該排出されたプリペイドカードの指紋情報及びカード情報を消去している。
【００８５】
したがって、プライバシーの流出を防止することができるとともに、少ない記憶容量のメモリ２３で対応できるようにすることができ、より一層安価に正規の利用者による適切な複写動作の利用とプリペイドカードの不正な取得を確実に防止することができる。
【００８６】
さらに、本実施例の複写装置用課金システム１は、カードリーダ２４に投入されているプリペイドカードまたはカード保管庫２５の保管するプリペイドカードに関する情報を複写装置１０または管理装置２０の表示手段に表示出力している。
【００８７】
したがって、プリペイドカードの取り忘れを抑制することができるとともに、取り忘れが発生してもプリペイドカードの在処を明確にして、利用性を向上させることができる。
【００８８】
また、本実施例の複写装置用課金システム１は、、カード保管庫２５がプリペイドカードで満杯になると、その旨を複写装置用課金システム１の管理者に通知している。
【００８９】
したがって、速やかに課金システム１の復帰を行うことができ、利用性を向上させることができる。
【００９０】
さらに、本実施例の複写装置用課金システム１は、カード保管庫２５がプリペイドカードで満杯になると、プリペイドカードの保管処理を停止している。
【００９１】
したがって、カード保管庫２５の保管能力を超えた際の不用意な動作を防止することができる。
【００９２】
また、本実施例の複写装置用課金システム１は、カードリーダ２４にプリペイドカードが投入されている状態で、複写動作が所定の取り忘れ時間行われることなく、所定範囲内の人体の有無を検知する人体感知センサが人体を検知しないと、プリペイドカードの取り忘れであると判定して、管理者にプリペイドカードの取り忘れが発生した旨を連絡している。
【００９３】
したがって、プリペイドカードの取り忘れに対する対応を速やかに行うことができ、利用性を向上させることができる。
【実施例２】
【００９４】
図４〜図６は、本発明の課金システム及び複写装置の第２実施例を示す図であり、図４は、本発明の課金システム及び複写装置の第２実施例を適用した複写装置用課金システム３０のブロック構成図である。
【００９５】
なお、本実施例は、上記第１実施例の複写装置用課金システム１と同様の複写装置用課金システム３０に適用したものであり、本実施例の説明においては、上記第１実施例の複写装置用課金システム１と同様の構成部分には、同一の符号を付して、その詳細な説明を省略する。
【００９６】
図４において、複写装置用課金システム３０は、複写装置４０と課金装置５０が、ケーブル等の有線または無線で接続されており、相互に通信可能である。
【００９７】
複写装置４０は、上記第１実施例の複写装置１０と同様の複写機構部１１と制御部１２を備えているとともに、スタートキー４１等を備えており、指紋認証機は備えていない。したがって、複写装置４０は、通常の複写装置と同様の構成であるが、制御部１２による複写機構部１１の動作が、課金装置５０からの制御信号によって規制される。
【００９８】
課金装置５０は、上記第１実施例の課金装置２０と同様の指紋認証機（指紋認証手段）２２、メモリ（記憶手段）２３、カードリーダ（課金対象物投入機構）２４及びカード保管庫（保管手段）２５を備えるとともに、制御部５１等を備えており、課金装置５０のみが１つの指紋認証機２２を備えている。
【００９９】
制御部５１は、課金装置５０の動作を制御するものであり、制御部５１には、複写装置４０のスタートキー４１からスタート信号が送られてくる。制御部５１は、後述するように、指紋認証機２２の取得する指紋情報及びメモリ２３に記憶する指紋情報等に基づいて、制御信号を複写装置４０の制御部１２に出力して、指紋認証に基づく複写機構部１１の利用制御を適切に行うとともに、カードリーダ２４内のプリペイドカードの取り忘れ処理を行う。
【０１００】
次に、本実施例の作用を説明する。本実施例の複写装置用課金システム３０は、プリペイドカードがカードリーダ２４に挿入されて指紋認証機２２で指紋情報の取得を行って、メモリ２３への記憶を行った後、複写装置４０のスタートキー４１が押下されると、指示された動作を行い、その後に、指紋認証操作が行われると、当該指紋認証したプリペイドカードの排出を行うとともに、取り忘れられたプリペイドカードのカード保管庫２５へ保管した後、指紋認証に基づく返却を行う取り忘れプリペイドカード制御処理を行う。
【０１０１】
すなわち、複写装置用課金システム３０は、図５に示すように、待機中、すなわち、利用者が正常に利用を終了したあとの状態で（ステップＳ２０１）、利用者が、プリペイドカードを課金装置２０のカードリーダ２４に挿入すると（ステップＳ２０２）、課金装置２０の制御部５１が、カードリーダ２４に当該プリペイドカードの必要なカード情報を読み取らせて、当該カード情報をメモリ２３に格納するとともに、指紋認証機２２での指紋認証操作が行われるのを待って（ステップＳ２０３）、当該指紋認証機２２で取得した指紋情報を、カードリーダ２４の読み取ったプリペイドカードのカードナンバー等のカード情報に対応させてメモリ２３に記憶させる（ステップＳ２０４）。なお、複写装置用課金システム３０では、カードリーダ２４にプリペイドカードが挿入されると、後述する指紋認証を伴う返却要求を行わないと当該プリペイドカードを物理的に取り出すことができない状態に移行する。
【０１０２】
制御部５１は、指紋情報の取得と記憶を行うと、スタートキー４１が押下されたかをチェックし（ステップＳ２０５）、スタートキー４１が押下されると、動作許可を指示する制御信号を複写装置４０の制御部１２に出力し、制御部１２が、複写機構部１１を制御して、複写装置４０の操作部で指示された指示動作、例えば、所定枚数の原稿の所定部数のコピー動作を処理する（ステップＳ２０６）。
【０１０３】
制御部５１は、複写装置４０での指示動作が完了して、制御部１２から指示動作処理の完了を示す信号が入力されてると、ステップＳ２０５に戻って、再度、新たな動作の開始を指示するためにスタートキー４１が押下されたかチェックし（ステップＳ２０５）、スタートキー４１が押下されると、動作許可を指示する制御信号を複写装置４０の制御部１２に出力して、制御部１２が、複写機構部１１を制御して、複写装置４０の操作部で指示された指示動作、例えば、所定枚数の原稿の所定部数のコピー動作を行う処理を繰り返し行う（ステップＳ２０５、Ｓ２０６）。
【０１０４】
ステップＳ２０５で、スタートキー４１が押下されないときには、制御部５１は、図６に示すように、課金装置５０の指紋認証機２２での指紋認証操作が行われたかをチェックし（ステップＳ２０７）、指紋認証機２２での指紋認証操作が行われると、複写装置４０の利用が終了して、プリペイドカードの排出が要求されていると判断して、カードリーダ２４を制御して、挿入されているプリペイドカードを排出させて、処理を終了する（ステップＳ２０８）。
【０１０５】
ステップＳ２０７で、指紋認証機２２での指紋認証操作が行われないときには、制御部５１は、予め設定されている取り忘れ時間が経過したかチェックし（ステップＳ２０９）、取り忘れ時間が経過していないときには、ステップＳ２０７に戻って、再度、課金装置５０の指紋認証機２２での指紋認証操作が行われたかのチェックから上記同様に処理する（ステップＳ２０７〜Ｓ２０９）。
【０１０６】
ステップＳ２０９で、取り忘れ時間が経過していると、制御部５１は、カード保管庫２５が満杯であるかチェックし（ステップＳ２１０）、カード保管庫２５が満杯でないときには、カードリーダ２４に挿入されているプリペイドカードをカード保管庫２５に移動させて保管させる取り忘れモードに移行して（ステップＳ２１１）、課金装置５０の指紋認証機２２で指紋認証操作が行われたかチェックする（ステップＳ２１２）。
【０１０７】
ステップＳ２１２で、指紋認証操作が行われないときには、制御部５１は、カード保管庫２５に保管したプリペイドカードに対する取り忘れモードを継続しつつ、処理を終了して、新たなプリペイドカードによる課金複写処理を可能とする。
【０１０８】
ステップＳ２１２で、指紋認証操作が行われると、指紋認証機２２で指紋取得を行い、取得した指紋情報と一致する指紋情報がメモリ２３に格納されているか照合して、一致する指紋情報があると、当該指紋情報に対応してメモリ２３に記憶されているカードナンバーのプリペイドカードをカード保管庫２５からカードリーダ２４を通して排出し、プリペイドカードを返却して、処理を終了する（ステップＳ２１３）。したがって、課金装置５０の指紋認証機２２を使用して第三者が不正にプリペイドカードを取り出そうとした場合、指紋情報が一致しないため、取り出すことができず、不正なプリペイドカードの取り出しを防止することができる。
【０１０９】
また、ステップＳ２１０で、カード保管庫２５が満杯であると、制御部５１は、新たな処理を中止して、所定の満杯処理、例えば、プリペイドカードの正規の所有者が上記プリペイドカードの取り出しを行ってカード保管庫２５に空きが発生するまで、または、複写装置用課金システム１の管理者に連絡して管理者がカード保管庫２５内のプリペイドカードを取り去るまで、複写装置用課金システム１の動作を停止させる満杯処理を行う（ステップＳ２１４）。
【０１１０】
このように、本実施例の複写装置用課金システム３０は、課金装置５０で、複写装置４０での複写動作の許可・不許可を制御するとともに、投入されるプリペイドカードから複写装置４０での複写動作に対する料金を差し引く課金処理を行うに際して、課金装置５０に、プリペイドカードが投入されるとともに当該投入されたプリペイドカードを取り出し不可能な状態で課金処理を実行するカードリーダ２４と、指紋認証機２２と、指紋認証機２２の取得した指紋情報を記憶するメモリ２３と、を設け、カードリーダ２４にプリペイドカードを投入した利用者が指紋認証機２２で指紋認証操作を行うと、当該指紋認証機２２の取得した当該利用者の指紋情報をカードリーダ２４に投入されているプリペイドカードを特定するカード情報とともにメモリ２３に記憶し、指紋認証機２２の取得する指紋情報及びメモリ２３の指紋情報と管理情報に基づいて当該複写動作の許可・不許可の複写動作制御処理及び課金処理を行うとともに、カードリーダ２４のプリペイドカードの返却要求に対して指紋認証機２での指紋認証を要求し、指紋認証機２２の取得した指紋情報及びメモリ２３の指紋情報とカード情報に基づいて当該返却要求がカードリーダ２４に投入されたプリペイドカードの正規の所有者による返却要求であるか否か判定してプリペイドカードの返却を行うか否かの課金対象物返却制御処理を行っている。
【０１１１】
したがって、ネットワークで接続された管理装置等を用いることなく、課金に関する指紋認証操作を課金装置５０に集約した簡単な構成で、利用しやすい指紋認証に基づいて、プリペイドカードを投入した正規の利用者にのみ複写装置４０の利用を許可することができるとともに、正規の利用者以外のものによる不正なプリペイドカードの取り出しを防止することができ、安価に正規の利用者による適切な複写動作の利用とプリペイドカードの不正な取得を確実に防止することができるとともに利用性を向上させることができる。
【実施例３】
【０１１２】
図７〜図９は、本発明の課金システム及び複写装置の第３実施例を示す図であり、図７は、本発明の課金システム及び複写装置の第３実施例を適用した複写装置用課金システム６０のブロック構成図である。
【０１１３】
なお、本実施例は、上記第１実施例の複写装置用課金システム１と同様の複写装置用課金システム６０に適用したものであり、本実施例の説明においては、上記第１実施例の複写装置用課金システム１と同様の構成部分には、同一の符号を付して、その詳細な説明を省略する。
【０１１４】
図７において、複写装置用課金システム６０は、複写装置７０と課金装置８０が、ケーブル等の有線または無線で接続されており、相互に通信可能である。
【０１１５】
複写装置７０は、上記第１実施例の複写装置１０と同様の複写機構部１１とスタートキー兼指紋認証機（指紋認証手段）１３を備えているとともに、制御部７１、メモリ（記憶手段）７２及びカード排出キー兼指紋認証機（指紋認証手段）７３等を備えており、２つの指紋認証機１３、７３を備えている。
【０１１６】
複写装置７０の制御部７１は、スタートキー兼指紋認証機１３及びカード排出キー兼指紋認証機７３による指紋認証に基づいて、正規の利用者か否かを判定して、正規の利用者のときには、複写機構部１１の動作を制御して、複写動作やプリンタ動作を行わせ、正規の利用者でないときには、複写機構部１１の動作を制御して、複写動作やプリンタ動作を禁止するとともに、カード排出キー兼指紋認証機７３でのカード排出指示が正規の利用者による指示であるか判定して、プリペイドカードの排出を制御して、不正取得を防止する。
【０１１７】
制御部７１は、スタートキー兼指紋認証機１３の取得した指紋情報を、カードリーダ２４の読み取った当該プリペイドカードに記録されている残金情報、カードナンバー等のカード情報、特に、カードナンバーと対応させてメモリ７２に記憶させ、また、カード排出キー兼指紋認証機７３が押下された際に、カード排出キー兼指紋認証機７３が取得した指紋情報とメモリ７２に記憶する指紋情報が一致すると、課金装置８０にカードリーダ２４のプリペイドカードを排出させ、さらに、取り忘れモードで、カード排出キー兼指紋認証機７３が押下されると、カード排出キー兼指紋認証機７３の取得した指紋情報と一致するプリペイドカードを課金装置８０に排出させる。
【０１１８】
課金装置８０は、上記第１実施例の課金装置２０と同様のカードリーダ（課金対象物投入機構）２４とカード保管庫（保管手段）２５を備えているとともに、制御部８１等を備えており、指紋認証機を備えていない。
【０１１９】
制御部８１は、課金装置８０の動作を制御するものであり、制御部８１には、複写装置７０の制御部７１との間で制御信号を交換して、課金処理を行うとともに、複写装置７０の複写動作の許可・禁止を行う。そして、制御部８１は、カードリーダ２４の取得したカード情報を複写装置７０の制御部７１に渡し、また、制御部７１からの指示に応じて、カードリーダ２４内のプリペイドカードの排出・排出禁止を行うとともに、カード保管庫２５に保管しているプリペイドカードのうち、制御部７１に指示されたプリペイドカードをカードリーダ２４を通して排出させる。
【０１２０】
次に、本実施例の作用を説明する。本実施例の複写装置用課金システム６０は、プリペイドカードがカードリーダ２４に挿入されてスタートキー兼指紋認証機１３でスタート指示があると、スタートキー兼指紋認証機１３で指紋情報の取得を行って、メモリ７２への記憶を行うとともに、複写装置７０で指示された動作を行い、その後に、カード排出キー兼指紋認証機７３が押下されると、カード排出キー兼指紋認証機７３で取得した指紋とメモリ７２の指紋情報が一致するときのみ、プリペイドカードの排出を行うとともに、取り忘れられたプリペイドカードをカード保管庫２５へ保管した後、カード排出キー兼指紋認証機７３が押下されると、カード排出キー兼指紋認証機７３での指紋認証に基づく返却を行う取り忘れプリペイドカード制御処理を行う。
【０１２１】
すなわち、複写装置用課金システム６０は、図８に示すように、待機中、すなわち、利用者が正常に利用を終了したあとの状態で（ステップＳ３０１）、利用者が、プリペイドカードを課金装置８０のカードリーダ２４に挿入すると（ステップＳ３０２）、課金装置８０の制御部８１が、カードリーダ２４に当該プリペイドカードの必要なカード情報を読み取らせて複写装置７０の制御部７１に渡して、制御部７１が当該カード情報をメモリ７３に格納するとともに、制御部７１が、スタートキー兼指紋認証機１３が押下されたか、カード排出キー兼指紋認証機７３が押下されたかをチェックする（ステップＳ３０３、Ｓ３０４）。なお、複写装置用課金システム６０では、カードリーダ２４にプリペイドカードが挿入されると、後述する指紋認証を伴う返却要求を行わないと当該プリペイドカードを物理的に取り出すことができない状態に移行する。
【０１２２】
ステップＳ３０３で、スタートキー兼指紋認証機１３が押下されることなく、ステップＳ３０４で、カード排出キー兼指紋認証機７３が押下されると、制御部７１は、課金装置８０の制御部８１にカードリーダ２４のプリペイドカードの排出を指示し、制御部８１は、カードリーダ２４を制御して、カードリーダ２４内のプリペイドカードを排出させて（ステップＳ３０５）、ステップＳ３０２に戻って、上記同様に処理する（ステップＳＳ３０２〜３０５）。
【０１２３】
ステップＳ３０３で、スタートキー兼指紋認証機１３が押下されると、制御部７１は、スタートキー兼指紋認証機１３に指紋情報を取得させ、当該取得した指紋情報を、課金装置８０の制御部８１から通知されたプリペイドカードのカードナンバー等のカード情報、特に、カードナンバーに対応させてメモリ７２に記憶させた後（ステップＳ３０６）、複写機構部１１を制御して、複写装置７０の操作部で指示された指示動作、例えば、所定枚数の原稿の所定部数のコピー動作を処理する（ステップＳ３０７）。
【０１２４】
制御部７１は、複写装置７０での指示動作が完了すると、再度、新たな動作の開始を指示するためにスタートキー兼指紋認証機１３が押下されたかチェックし（ステップＳ３０８）、スタートキー兼指紋認証機１３が押下されると、スタートキー兼指紋認証機１３が当該押下操作された指の指紋情報を取得して制御部７１に渡して、制御部７１が、スタートキー兼指紋認証機１３の取得した指紋情報と、ステップＳ３０６でメモリ７２に記憶した指紋情報と、が一致するかチェックする（ステップＳ３１０）。
【０１２５】
ステップＳ３１０で、両指紋情報が一致するときには、制御部７１は、カードリーダ２４に挿入されているプリペイドカードの所有者による利用、すなわち、プリペイドカードの正規の利用者による利用であると判断して、ステップＳ３０７に戻って、上記同様に、指示動作処理を行って、再度、スタートキー兼指紋認証機１３が押下されたかチェックする（ステップＳ３０８）。
【０１２６】
ステップＳ３１０で、取得した指紋情報と記憶している指紋情報が一致しないときには、制御部７１は、カードリーダ２４に挿入されているプリペイドカードの所有者でないものによる利用、すなわち、プリペイドカードの正規の利用者ではない不正利用であると判断して、指示された動作処理を中止するとともに、指紋が不一致である旨の指紋不一致通知を複写装置７０または課金装置８０の表示部に表示出力したり、スピーカから拡声出力したり、複写装置用課金システム６０の管理者への通知を行い（ステップＳ３１１）、ステップＳ３０８に戻って、再度、スタートキー兼指紋認証機１３が押下されるかチェックする（ステップＳ３０８）。したがって、プリペイドカードをカードリーダ２４に挿入した正規の利用者以外の第三者が、当該挿入されているプリペイドカードを用いて複写操作を行おうとしても、スタートキー兼指紋認証機１３で先に登録された指紋情報と今回スタートキー兼指紋認証機１３を操作して複写操作を行おうとした第三者の採取された指紋情報が一致しないために、複写は実行されず、不正使用を防止することができる。
【０１２７】
ステップＳ３０８で、スタートキー兼指紋認証機１３が押下されないときには、制御部７１は、カード排出キー兼指紋認証機７３が操作されて、当該カード排出キー兼指紋認証機７３の取得した指紋情報とメモリ７２に記憶されている指紋情報とが一致するかチェックし（ステップＳ３１２）、両指紋情報が一致すると、複写装置１０の利用が終了して、プリペイドカードの正規の利用者によってプリペイドカードの排出が要求されていると判断して、課金装置８０の制御部８１にプリペイドカードの排出を指示する制御信号を出力して、制御部８１が、カードリーダ２４を制御して、挿入されているプリペイドカードを排出させて、処理を終了する（ステップＳ３１３）。
【０１２８】
ステップＳ３１２で、カード排出キー兼指紋認証機７３が操作されないか、操作されてもカード排出キー兼指紋認証機７３の取得した指紋情報とメモリ７２の指紋情報が一致しないときには、制御部７１は、予め設定されている取り忘れ時間が経過したかチェックし（ステップＳ３１４）、取り忘れ時間が経過していないときには、ステップＳ３０８に戻って、再度、スタートキー兼指紋認証機１３の押下のチェックから上記同様に処理する（ステップＳ３０８〜Ｓ３１４）。
【０１２９】
ステップＳ３１４で、取り忘れ時間が経過していると、制御部７１は、制御部８１を介してカード保管庫２５が満杯であるかチェックし（ステップＳ３１５）、カード保管庫２５が満杯でないときには、カードリーダ２４に挿入されているプリペイドカードをカード保管庫２５に移動させて保管させる取り忘れモードに移行して（ステップＳ３１６）、カード排出キー兼指紋認証機７３が押下されて指紋認証操作が行われたかチェックする（ステップＳ３１７）。
【０１３０】
ステップＳ３１７で、カード排出キー兼指紋認証機７３が押下されないときには、制御部７１は、カード保管庫２５に保管したプリペイドカードに対する取り忘れモードを継続しつつ、処理を終了して、新たなプリペイドカードによる課金複写処理を可能とする。
【０１３１】
ステップＳ３１７で、カード排出キー兼指紋認証機７３が押下されて、カード排出キー兼指紋認証機７３の取得した指紋情報と一致する指紋情報がメモリ７２にあると、当該指紋情報に対応してメモリ２３に記憶されているカードナンバーのプリペイドカードの排出を課金装置８０の制御部８１に指示し、制御部８１が当該プリペイドカードをカード保管庫２５からカードリーダ２４を通して排出し、プリペイドカードを返却して、処理を終了する（ステップＳ３１８）。したがって、複写装置７０のカード排出キー兼指紋認証機７３を使用して第三者が不正にプリペイドカードを取り出そうとした場合、指紋情報が一致しないため、プリペイドカードを取り出すことができず、不正なプリペイドカードの取り出しを防止することができる。
【０１３２】
また、ステップＳ３１５で、カード保管庫２５が満杯であると、制御部７１は、新たな処理を中止して、所定の満杯処理、例えば、プリペイドカードの正規の所有者が上記プリペイドカードの取り出しを行ってカード保管庫２５に空きが発生するまで、または、複写装置用課金システム６０の管理者に連絡して管理者がカード保管庫２５内のプリペイドカードを取り去るまで、複写装置用課金システム１の動作を停止させる満杯処理を行う（ステップＳ３１９）。
【０１３３】
このように、本実施例の複写装置用課金システム６０は、課金装置８０で、複写装置７０での複写動作の許可・不許可を制御するとともに、投入されるプリペイドカードから複写装置７０での複写動作に対する料金を差し引く課金処理を行うに際して、複写装置７０に、２つの指紋認証機１３、７３と、指紋認証機１３の取得した指紋情報を記憶するメモリ７２と、を設け、課金装置８０に、プリペイドカードが投入されるとともに当該投入されたプリペイドカードを取り出し不可能な状態で課金処理を実行するカードリーダ２４を設け、複写動作の開始要求に際してスタートキー兼指紋認証機１３による指紋認証操作を要求して、スタートキー兼指紋認証機１３の取得した指紋情報をカードリーダ２４に投入されているプリペイドカードを特定するカード情報とともにメモリ７２に記憶し、複写動作の開始要求に際してスタートキー兼指紋認証機１３の取得した指紋情報及びメモリ７２の指紋情報とカード情報に基づいて当該複写動作の許可・不許可の複写動作制御処理及び課金処理を行うとともに、カードリーダ２４のプリペイドカードの返却要求に対して複写装置７０のカード排出キー兼指紋認証機７３での指紋認証を要求し、カード排出キー兼指紋認証機７３の取得した指紋情報及びメモリ７２の指紋情報とカード情報に基づいて当該返却要求がカードリーダ２４に投入されたプリペイドカードの正規の所有者による返却要求であるか否か判定してプリペイドカードの返却を行うか否かの返却制御処理を行っている。
【０１３４】
したがって、ネットワークで接続された管理装置等を用いることなく、課金に必要な機構のみを課金装置８０に設け、他の手段を複写装置７０に集約した簡単な構成で、指紋認証に基づいてプリペイドカードを投入した正規の利用者にのみ複写装置７０の利用を許可することができるとともに、正規の利用者以外のものによるプリペイドカードの不正な取り出しを防止することができ、より一層安価に正規の利用者による適切な複写動作の利用とプリペイドカードの不正な取得を確実に防止することができる。
【実施例４】
【０１３５】
図１０〜図１２は、本発明の課金システム及び複写装置の第４実施例を示す図であり、図１０は、本発明の課金システム及び複写装置の第４実施例を適用した複写装置１００のブロック構成図である。
【０１３６】
なお、本実施例は、複写装置１００が複写部１１０の他に課金部（課金手段）１２０を内蔵したものであり、本実施例の説明においては、上記第１実施例の複写装置用課金システム１と実質的に同様の構成部分には、同一の符号を付して、その詳細な説明を省略する。
【０１３７】
複写装置１００は、複写部１１０と課金部１２０を内蔵しており、複写部１１０と課金部１２０とは、ケーブル等で接続されて、相互に通信可能である。
【０１３８】
複写部１１０は、上記第１実施例の同様の複写装置１０と同様の複写機構部（複写機構）１１、制御部１２及びスタートキー兼指紋認証機（指紋認証手段）１３等を備えており、上記第１実施例の複写装置１０と同様の機能を有している。
【０１３９】
課金部１２０は、上記第１実施例の課金装置２０と同様の制御部２１、指紋認証機（指紋認証手段）２２、メモリ（記憶手段）２３、カードリーダ（課金対象物投入機構）２４及びカード保管庫（保管手段）２５等を備えており、上記第１実施例の課金装置２０と同様の機能を有している。
【０１４０】
次に、本実施例の作用を説明する。本実施例の複写装置１００は、複写部１１０と課金部１２０にそれぞれ指紋認証機１３、２２を設け、これらの指紋認証機１３、２２での指紋認証に基づいてプリペイドカードの所有者による適切な複写装置１００の利用を提供するとともに、取り忘れられたプリペイドカードの所有者への返却を人手を介することなく適切に行う。
【０１４１】
すなわち、図１１に示すように、複写装置１００は、複写部１１０が待機中、すなわち、利用者が正常に利用を終了したあとの状態で（ステップＳ４０１）、利用者が、プリペイドカードを課金部１２０のカードリーダ２４に挿入すると（ステップＳ４０２）、課金部１２０の制御部２１が、カードリーダ２４に当該プリペイドカードの必要なカード情報を読み取らせて、当該カード情報をメモリ２３に格納するとともに、スタートキー兼指紋認証機１３が押下されたか、課金部１２０の指紋認証機２２への指紋認証操作が行われたかをチェックし（ステップＳ４０３、Ｓ４０４）、スタートキー兼指紋認証機１３が押下されることなく、指紋認証機２２での指紋認証操作が行われると、カード排出要求であると判断して、カードリーダ２４を制御して挿入されているプリペイドカードを排出させてステップＳ４０２に戻る（ステップＳ４０５）。なお、複写装置１００では、カードリーダ２４にプリペイドカードが挿入されると、後述する指紋認証を伴う返却要求を行わないと当該プリペイドカードを物理的に取り出すことができない状態に移行する。
【０１４２】
ステップＳ４０３で、スタートキー兼指紋認証機１３が押下されると、スタートキー兼指紋認証機１３が当該押下操作された指の指紋情報を取得して制御部２１に渡し、制御部２１が当該指紋情報をカードリーダ２４の読み取ったプリペイドカードのカードナンバー等のカード情報に対応させてメモリ２３に記憶させる（ステップＳ４０６）。
【０１４３】
制御部２１は、指紋情報のメモリ２３への記憶を行うと、動作許可を指示する制御信号を複写部１１０の制御部１２に出力し、制御部１２が、複写機構部１１を制御して、複写装置１０の操作部で指示された指示動作、例えば、所定枚数の原稿の所定部数のコピー動作を処理する（ステップＳ４０７）。
【０１４４】
制御部２１は、複写部１１０での指示動作が完了して、制御部１２から指示動作処理の完了を示す信号が入力されてると、図１２に示すように、再度、新たな動作の開始を指示するためにスタートキー兼指紋認証機１３が押下されたかチェックし（ステップＳ４０８）、スタートキー兼指紋認証機１３が押下されると、スタートキー兼指紋認証機１３が当該押下操作された指の指紋情報を取得して制御部２１に渡す（ステップＳ４０９）。
【０１４５】
次に、制御部２１は、スタートキー兼指紋認証機１３の取得した指紋情報が、ステップＳ４０６でメモリ２３に記憶した指紋情報と一致するかチェックし（ステップＳ４１０）、一致するときには、カードリーダ２４に挿入されているプリペイドカードの正規の所有者による利用、すなわち、プリペイドカードの正規の利用者による利用であると判断して、ステップＳ４０７に戻って、上記同様に、指示動作処理を行って、再度、スタートキー兼指紋認証機１３が押下されたかチェックする（ステップＳ４０８）。
【０１４６】
ステップＳ４１０で、取得した指紋情報と記憶している指紋情報が一致しないときには、制御部２１は、カードリーダ２４に挿入されているプリペイドカードの所有者でないものによる利用、すなわち、プリペイドカードの正規の利用ではない不正利用であると判断して、動作処理の禁止を示す制御信号を複写部１１０の制御部１２に出力して、指示された動作処理を中止させるとともに、指紋情報が不一致である旨の指紋不一致通知を複写装置１００の表示部に表示出力したり、スピーカから拡声出力したり、複写装置１００の管理者への通知を行い（ステップＳ４１１）、ステップＳ４０８に戻って、再度、スタートキー兼指紋認証機１３が押下されるかチェックする（ステップＳ４０８）。したがって、プリペイドカードをカードリーダ２４に挿入した正規の利用者以外の第三者が、当該挿入されているプリペイドカードを用いて複写操作を行おうとしても、スタートキー兼指紋認証機１３で先に登録された指紋情報と今回スタートキー兼指紋認証機１３を操作して複写操作を行おうとした第三者の採取された指紋情報が一致しないために、複写は実行されず、不正使用を防止することができる。
【０１４７】
ステップＳ４０８で、スタートキー兼指紋認証機１３が押下されないときには、制御部２１は、課金部１２０の指紋認証機２２での指紋認証操作が行われたかをチェックし（ステップＳ４１２）、指紋認証機２２での指紋認証操作が行われると、複写部１１０の利用が終了して、プリペイドカードの排出が要求されていると判断して、カードリーダ２４を制御して、挿入されているプリペイドカードを排出させて、処理を終了する（ステップＳ４１３）。
【０１４８】
ステップＳ４１２で、指紋認証機２２での指紋認証操作が行われないときには、制御部２１は、予め設定されている取り忘れ時間が経過したかチェックし（ステップＳ４１４）、取り忘れ時間が経過していないときには、ステップＳ１０８に戻って、再度、スタートキー兼指紋認証機１３の押下のチェックから上記同様に処理する（ステップＳ４０８〜Ｓ４１４）。
【０１４９】
ステップＳ４１４で、取り忘れ時間が経過していると、制御部２１は、カード保管庫２５が満杯であるかチェックし（ステップＳ４１５）、カード保管庫２５が満杯でないときには、カードリーダ２４に挿入されているプリペイドカードをカード保管庫２５に移動させて保管させる取り忘れモードに移行して（ステップＳ４１６）、課金部１２０の指紋認証機２２で指紋認証操作が行われたかチェックする（ステップＳ４１７）。
【０１５０】
ステップＳ４１７で、指紋認証操作が行われないときには、制御部２１は、カード保管庫２５に保管したプリペイドカードに対する取り忘れモードを継続しつつ、処理を終了して、新たなプリペイドカードによる課金複写処理を可能とする。
【０１５１】
ステップＳ４１７で、指紋認証操作が行われると、指紋認証機２２で指紋取得を行い、取得した指紋情報と一致する指紋情報がメモリ２３に格納されているか照合して、一致する指紋情報があると、当該指紋情報に対応してメモリ２３に記憶されているカードナンバーのプリペイドカードをカード保管庫２５からカードリーダ２４を通して排出し、プリペイドカードを返却して、処理を終了する（ステップＳ４１８）。したがって、課金装置２０の指紋認証機２２を使用して第三者が不正にプリペイドカードを取り出そうとした場合、指紋情報が一致しないため、取り出すことができず、不正なプリペイドカードの取り出しを防止することができる。
【０１５２】
また、ステップＳ４１５で、カード保管庫２５が満杯であると、制御部２１は、新たな処理を中止して、所定の満杯処理、例えば、プリペイドカードの正規の所有者が上記プリペイドカードの取り出しを行ってカード保管庫２５に空きが発生するまで、または、複写装置１００の管理者に連絡して管理者がカード保管庫２５内のプリペイドカードを取り去るまで、複写装置１００の動作を停止させる満杯処理を行う（ステップＳ４１９）。
【０１５３】
このように、本実施例の複写装置１００は、複写機構部１１での複写動作の許可・不許可を制御するとともに、投入されるプリペイドカードから当該複写動作に対する料金を差し引く課金部１２０を内蔵し、プリペイドカードが投入されるとともに当該投入されたプリペイドカードを取り出し不可能な状態で課金処理を実行するカードリーダ２４と、指紋認証機２２と、スタートキー兼指紋認証機１３の取得した指紋情報を記憶するメモリ２３と、を設け、カードリーダ２４にプリペイドカードを投入した利用者がスタートキー兼指紋認証機１３で指紋認証操作を行うと、スタートキー兼指紋認証機１３が当該利用者の指紋情報を取得し、課金部１２０が、スタートキー兼指紋認証機１３の取得した指紋情報をカードリーダ２４に投入されているプリペイドカードを特定するカード情報とともにメモリ２３に記憶し、複写動作の開始要求に際してスタートキー兼指紋認証機１３による指紋認証操作を要求して、スタートキー兼指紋認証機１３の取得した指紋情報及びメモリ２３の指紋情報とカード情報に基づいて当該複写動作の許可・不許可の複写動作制御処理及び課金処理を行うとともに、カードリーダ２４のプリペイドカードの返却要求に対して指紋認証機２２での指紋認証を要求し、指紋認証機２２の取得した指紋情報及びメモリ２３の指紋情報とカード情報に基づいて当該返却要求がカードリーダ２４に投入されたプリペイドカードの正規の所有者による返却要求であるか否か判定して当該プリペイドカードの返却を行うか否かの返却制御処理を行っている。
【０１５４】
したがって、ネットワークで接続された管理装置等を用いることなく、指紋認証を伴う課金処理に必要な手段を内蔵した簡単な構成で、指紋認証に基づいてプリペイドカードを投入した正規の利用者にのみ複写装置１００の利用を許可することができるとともに、正規の利用者以外のものによる不正なプリペイドカードの取り出しを防止することができ、安価に正規の利用者による適切な複写動作の利用とプリペイドカードの不正な取得を確実に防止することができる。
【０１５５】
なお、上記各実施例においては、課金対象物として、磁気カード、ＩＣメモリカード等のプリペイドカードを用いている場合ついて説明したが、課金対象物としては、プリペイドカードに限るものではなく、例えば、貨幣そのものであっても同様に適用することができる。この場合、メモリ２３等に指紋情報とともに記憶する管理情報としては、貨幣の金額、貨幣の格納場所等の情報を用いることができる。
【０１５６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１５７】
紙幣やコイン等の貨幣あるいはプリペイドカードを使用した自動販売式複写装置の課金システム及び複写装置に適用することができる。
【図面の簡単な説明】
【０１５８】
【図１】本発明の課金システム及び複写装置の第１実施例を適用した複写装置用課金システムのブロック構成図。
【図２】図１の複写装置用課金システムによる課金・取り忘れ制御処理を示すフローチャート。
【図３】図２の課金・取り忘れ制御処理の続きの処理を示すフローチャート。
【図４】本発明の課金システム及び複写装置の第２実施例を適用した複写装置用課金システムのブロック構成図。
【図５】図４の複写装置用課金システムによる課金・取り忘れ制御処理を示すフローチャート。
【図６】図５の課金・取り忘れ制御処理の続きの処理を示すフローチャート。
【図７】本発明の課金システム及び複写装置の第３実施例を適用した複写装置用課金システムのブロック構成図。
【図８】図７の複写装置用課金システムによる課金・取り忘れ制御処理を示すフローチャート。
【図９】図８の課金・取り忘れ制御処理の続きの処理を示すフローチャート。
【図１０】本発明の課金システム及び複写装置の第４実施例を適用した複写装置のブロック構成図。
【図１１】図１０の複写装置による課金・取り忘れ制御処理を示すフローチャート。
【図１２】図１１の課金・取り忘れ制御処理の続きの処理を示すフローチャート。
【符号の説明】
【０１５９】
１  複写装置用課金システム
１０  複写機
１１  複写機構部
１２  制御部
１３  スタートキー兼指紋認証機
２０  課金装置
２１  制御部
２２  指紋認証機
２３  メモリ
２４  カードリーダ
２５  カード保管庫
３０  複写装置用課金システム
４０  複写装置
４１  スタートキー
５０  課金装置
５１  制御部
６０  複写装置用課金システム
７０  複写装置
７１  制御部
７２  メモリ
７３  カード排出キー兼指紋認証機
８０  課金装置
８１  制御部
１００  複写装置
１１０  複写部
１２０  課金部
【図１】
2005327116.tif 000003
【図２】
2005327116.tif 000004
【図３】
2005327116.tif 000005
【図４】
2005327116.tif 000006
【図５】
2005327116.tif 000007
【図６】
2005327116.tif 000008
【図７】
2005327116.tif 000009
【図８】
2005327116.tif 000010
【図９】
2005327116.tif 000011
【図１０】
2005327116.tif 000012
【図１１】
2005327116.tif 000013
【図１２】
2005327116.tif 000014